(57)【要約】      （修正有）【課題】来店者が、店頭で陳列されているウインドウフィルムを実使用したときの使用感を、正確に認識することが可能になる販売促進ツールとしてのウインドウフィルム販促媒体を提供する。【解決手段】開口１１，１２が形成されてなるフィルム保持体１０と、店頭陳列品としてのウインドウフィルムと同一の光学特性を備えて、フィルム保持体１０の開口１１，１２の全体に亘って配備されたサンプルフィルム２１，２２と、サンプルフィルム２１，２２に対応する店頭陳列品を示す情報表示２５，２６と、フィルム保持体１０を、自動車のウインドウガラス５０に離脱可能に重なり状に装着するための固定具となる吸盤４１と、を有する。【選択図】図３
0003197844.tif 000002
【実用新案登録請求の範囲】
【請求項１】
自動車のウインドウガラスに貼付されるウインドウフィルムの店頭陳列品を対象とするウインドウフィルム販促媒体であって、
自己保形性を有する板状のシート体に開口が形成されてなるフィルム保持体と、
店頭陳列品としての上記ウインドウフィルムと同一の光学特性を備えて、上記フィルム保持体の上記開口の全体に亘って配備されたサンプルフィルムと、
そのサンプルフィルムに対応する上記店頭陳列品を示す情報表示と、
上記フィルム保持体を、自動車のウインドウガラスに離脱可能に重なり状に装着するための固定具と、
を有することを特徴とするウインドウフィルム販促媒体。
【請求項２】
開口に上記サンプルフィルムが配備された上記フィルム保持体のコーナー部に、吊下げ具が装備されている請求項１に記載したウインドウフィルム販促媒体。
【請求項３】
店頭陳列品に光学特性の異なる複数種類のウインドウフィルムが含まれ、
上記サンプルフィルムが、上記フィルム保持体の複数箇所に備わっている開口に個別に配備されていると共に、それぞれの開口に配備されている個別の上記サンプルフィルムの光学特性が互いに相違し、かつ、それぞれのサンプルフィルムの光学特性が、複数種類の上記ウインドウフィルムの光学特性から選択されていると共に、それぞれのサンプルフィルムに対応する上記店頭陳列品を示す上記情報表示を有している請求項１又は請求項２に記載したウインドウフィルム販促媒体。
【請求項４】
上記フィルム保持体の横並びの２箇所に、異なる光学特性を備えたサンプルフィルムの配備された開口が形成されている請求項３に記載したウインドウフィルム販促媒体。
【請求項５】
上記固定具が、上記フィルム保持体に装備された吸盤である請求項１ないし請求項４のいずれか１項に記載したウインドウフィルム販促媒体。
【考案の詳細な説明】
【技術分野】
【０００１】
本考案は、乗用車のような自動車のサイドガラスやリアガラスなどのウインドウガラスに貼着して使用されるウインドウフィルムの販売促進ツールとしてのウインドウフィルム販促媒体に関する。
【背景技術】
【０００２】
車室の内外間での光の透過量を制限して遮光性や目隠し性を高めたいという要求や、ウインドウガラスをスモークカラーなどに着色したいという要求などに対処するために、一定の光学特性を備えたフィルムをウインドウガラスに重ね合わせて貼着することが従来より行われている。そして、このような用途で使用されるフィルムそのものは、先行例によっても提案されている（たとえば、特許文献１参照）。
【０００３】
一方、ウインドウフィルムの販売店では、ロール巻状にしたウインドウフィルムをパッケージ化して店頭での販売に供していることが多く、また、異なる光学特性を備えたウインドウフィルムのパッケージが、陳列棚で多数並べて陳列されていることが多い。
【０００４】
図４は従来のウインドウフィルムのパッケージを例示した正面図である。このパッケージでは、縦長の台紙２に重ねたロール巻状のウインドウフィルム１の全体を、透明な梱包フィルム３により覆わせて台紙２に保持させている。また、台紙２には、たとえばその上端部に小さな開口（以下「小窓」という）４が設けられていて、その小窓４に、パッケージ化されたウインドウフィルム１と同一の光学特性を備えたサンプルフィルム５が配備されている。したがって、サンプルフィルム５は、可視光線透過率や紫外線カット率によって定まる遮光性や目隠し性のほか、色相や材質、フィルム厚さ・硬度などのすべての性質が、パッケージ化されたウインドウフィルム１と同一になっている。さらに、台紙２の上端部には、陳列用フックに引掛けられる係止孔２ａが設けられている。
【先行技術文献】
【特許文献】
【０００５】
【特許文献１】特開２０１０−１８８５９３号公報
【考案の概要】
【考案が解決しようとする課題】
【０００６】
ところで、店頭では、光学特性の異なる数種類のウインドウフィルムが異なるパッケージの形態で並べて陳列されていることが多い。このため、来店者は、それら複数種類のパッケージに施されている情報表示を参考にしたり、図４に示したパッケージの小窓４のサンプルフィルム５を目で見て観察したり手で触ったりすることを通じて、そのパッケージのウインドウフィルム１が、自動車（たとえば自車）のウインドウガラスに使用するのに適切であるか否かを判別し、適切であると認識できたパッケージを選択して購入しているものと考えられる。
【０００７】
しかしながら、仮に光学性能などの情報表示を見たりしても、その情報表示によってそのパッケージのウインドウフィルムを自車のウインドウガラスに実使用したときに満足のいく使用感を得られるか否かを正確に認識することには無理がある。同様に、サンプルフィルム５を目で見て観察したり手で触ったりしたとしても、小窓４に配備されているサンプルフィルム５のサイズが極端に小さく、しかも、自車のウインドウガラスにサンプルフィルム５を重ね合わせた状態を見ているものでもないために、ウインドウフィルムの実使用時の使用感を認識することは困難である。また、たとえば、陳列場所で、近似する光学特性を持つ複数のパッケージのウインドウフィルムを見比べ、どれが自車にとって適切であるかを判別することも非常に困難であると考えられる。これらの事情により、図４に例示したようなパッケージを陳列しているだけの従来の販売形態では、来店者が実使用したときの使用感を正確に認識することが極めて困難であり、購入後に自車に実使用したときに満足のいく使用感を得にくい、という問題があった。
【０００８】
本考案は、以上の状況に鑑みてなされたものであり、来店者が、店頭で陳列されているウインドウフィルムを実使用したときの使用感を、手軽に、しかも、従来に比べて正確に認識することが可能になる販売促進ツールとしてのウインドウフィルム販促媒体を提供することを目的としている。
【課題を解決するための手段】
【０００９】
本考案に係るウインドウフィルム販促媒体は、自動車のウインドウガラスに貼付されるウインドウフィルムの店頭陳列品を対象としている。そして、自己保形性を有する板状のシート体に開口が形成されてなるフィルム保持体と、店頭陳列品としての上記ウインドウフィルムと同一の光学特性を備えて、上記フィルム保持体の上記開口の全体に亘って配備されたサンプルフィルムと、そのサンプルフィルムに対応する上記店頭陳列品を示す情報表示と、上記フィルム保持体を、自動車のウインドウガラスに離脱可能に重なり状に装着するための固定具と、を有している。
【００１０】
ウインドウフィルム販促媒体がこの構成を備えていると、ウインドウフィルム販促媒体を来店者が店頭から持ち出して自車のウインドウガラスに重ねると、そのウインドウフィルム販促媒体に備わっているフィルムが自車のウインドウガラスに重なり合う。そのため、来店者は、ウインドウフィルム販促媒体のサンプルフィルムを、自車のウインドウガラスに貼着した状態での車室内外間での光の遮光性能や目隠し性能、さらには着色状態などを実際に目で見て確かめることが可能になる。その結果、来店者は、光の遮光性能や目隠し性能、着色状態などが適切であると判断することのできたウインドウフィルム販促媒体に付されている情報表示を手掛かりにして、その情報表示によって特定される店頭陳列品を選択し、購入して、自車のウインドウガラスに使用することができるようになる。この手順に従って自動車のウインドウガラスに貼着されたウインドウフィルムは、サンプルフィルムと同一の光学特性を備えているので、光の遮光性能や目隠し性能、着色状態などが適切なものになり、満足のいく使用感が得られる。
【００１１】
また、この構成のウインドウフィルム販促媒体は、固定具を利用して自車のウインドウガラスに装着することができるので、来店者は、自車のウインドウガラスに装着したウインドウフィルム販促媒体のサンプルフィルムの光学特性が適切であるか否かを、離れた位置からでも判別することが可能になる。
【００１２】
本考案のウインドウフィルム販促媒体では、開口に上記サンプルフィルムが配備された上記フィルム保持体のコーナー部に、吊下げ具が装備されていることが望ましい。この構成であると、店頭陳列品の陳列箇所に、当該ウインドウフィルム販促媒体を吊下げ具を利用して吊り下げておくことができるため、来店者がそのウインドウフィルム販促媒体を自由に店頭から持ち出して自車への使用の適否を手軽に試みることが可能になる。
【００１３】
本考案では、店頭陳列品に光学特性の異なる複数種類のウインドウフィルムが含まれ、上記サンプルフィルムが、上記フィルム保持体の複数箇所に備わっている開口に個別に配備されていると共に、それぞれの開口に配備されている個別の上記サンプルフィルムの光学特性が互いに相違し、かつ、それぞれのサンプルフィルムの光学特性が、複数種類の上記ウインドウフィルムの光学特性から選択されていると共に、それぞれのサンプルフィルムに対応する上記店頭陳列品を示す上記情報表示を有していることが望ましい。この構成のウインドウフィルム販促媒体であると、光学特性が互いに相違する複数のサンプルフィルムを同時に自車のウインドウガラスに重ねることが可能になるので、そうすることによって、複数のサンプルフィルムの光学特性が近似していても、それらのサンプルフィルムを見比べて、どのサンプルフィルムを自車に使用することが適切であるかを簡単に認識することができ、しかも、適切であると認識できたサンプルフィルムに対応する情報表示を手掛かりにして、その情報表示によって特定される店頭陳列品を選択し、購入して、自車のウインドウガラスに使用することができるようになる。
【００１４】
本考案では、上記フィルム保持体の横並びの２箇所に、異なる光学特性を備えたサンプルフィルムの配備された開口が形成されている、という構成を採用することが可能である。この構成を採用しておくと、光学特性が互いに相違する２つのサンプルフィルムを同時に自車のウインドウガラスに重ねることが可能になるので、そうすることによって、２つのサンプルフィルムの光学特性が近似していても、両方のサンプルフィルムを見比べて、どちらのサンプルフィルムを自車に使用することが適切であるかを簡単に認識することができ、しかも、そのサンプルフィルムに対応する情報表示を手掛かりにして、その情報表示によって特定される店頭陳列品を選択し、購入して、自車のウインドウガラスに使用することができるようになる。特に、この構成では、異なる光学特性を備えたサンプルフィルムの配備された開口を、フィルム保持体の横並びの２箇所に形成したことにより、フィルム保持体を店内から店舗パーキングに停めてある自車のところまで手軽に持ち運ぶことのできるサイズにしても、個々の開口を比較的大きく形成することが可能になる。そのため、来店者は、ウインドウフィルムを、自車のウインドウガラスの前面に貼付した状態にいっそう近似した状況下で、実使用に適する光学特性のウインドウフィルムを選択することが可能になるという利点がある。
【００１５】
本考案では、上記固定具が、上記フィルム保持体に装備された吸盤であることが望ましい。この考案のように、固定具として吸盤を選択しておくと、ウインドウガラスに対する当該ウインドウフィルム販促媒体の着脱を楽に行うことができ、しかも、当該ウインドウフィルム販促媒体をウインドウガラスから取り外した後に、装着時の痕跡が残らなくなるという利点がある。
【図面の簡単な説明】
【００１６】
【図１】本考案の実施形態によるウインドウフィルム販促媒体を例示した概略正面図である。
【図２】図１のＩＩ−ＩＩ線に沿う部分の拡大断面図である。
【図３】ウインドウフィルム販促媒体の使用状態を示した正面図である。
【図４】従来のウインドウフィルムのパッケージを例示した正面図である。
【考案を実施するための形態】
【００１７】
図１は本考案の実施形態によるウインドウフィルム販促媒体Ａを例示した概略正面図、図２は図１のＩＩ−ＩＩ線に沿う部分の拡大断面図である。
【００１８】
ウインドウフィルム販促媒体（以下「販促媒体」という）Ａは、自動車のウインドウガラスに貼付されるウインドウフィルム（不図示）の店頭陳列品（図４のようにパッケージかされているものを含む）を対象として、その店頭陳列品の販売促進ツールとして利用される。
【００１９】
図１に示した販促媒体Ａでは、厚紙や段ボール紙のように容易に折れ曲がることのない自己保形性を有するシート体で製作された横長矩形状のフィルム保持体１０の横並びの２箇所に、略方形ないし略矩形の開口１１，１２が窓形に形成されていて、それらの開口１１，１２のそれぞれにサンプルフィルム２１，２２が配備されている。図２のように、一方のサンプルフィルム２１は、その周縁部を２つ折りのフィルム保持体１０で挟むことによって位置ずれしないように開口１１に配備されている。図示していないが、他方のサンプルフィルム２２についても同様の形態で開口１２に配備されている。このフィルム保持体１０のコーナー部には吊下げ具３０が装備されていて、この吊下げ具３０を利用して、当該販促媒体Ａを、店頭陳列品としてのウインドウフィルムの陳列棚またはその近傍箇所に吊り下げておくことができるようになっている。そのため、来店者や店員は、その販促媒体Ａを、必要に応じて、店舗パーキングに停めてある自動車のところに自由に持ち運ぶことができる。吊下げ具３０には、図示のリングのほか、フック、鎖などを適宜使用でき、さらには、フィルム保持体１０のコーナー部に開設した孔部そのものによって吊下げ具を構成しておいてもよい。また、フィルム保持体１０左右の端部にはそれぞれ固定具４０としての吸盤４１が装備されている。この吸盤４１，４１は、来店者や店員が自動車のところに持ち運んだ販促媒体Ａを、自動車のウインドウガラスに装着することに利用される。なお、固定具４０には、吸盤４１のほか、引き剥がし可能な両面粘着テープを利用することもできるが、吸盤４１を採用しておくと、販促媒体Ａの着脱を楽に行うことができ、しかも、販促媒体Ａをウインドウガラスから取り外した後に、装着時の痕跡が残らない、という利点がある。さらにこの実施形態では、フィルム保持体１０に開設した繭形の孔部１３を利用して、吸盤４１をフィルム保持体１０に着脱自在としている。したがって、吸盤４１を、必要に応じて、フィルム保持体１０に装着しておいたりフィルム保持体１０から取り外しておいたりすることが可能である。
【００２０】
フィルム保持体１０の２箇所の開口１１，１２に個別に配備されているサンプルフィルム２１，２２は、互いに相違する光学特性を有していて、それぞれのサンプルフィルム２１，２２の光学特性が、店頭陳列品としての複数種類のウインドウフィルムの光学特性から選択されている。具体的には、一方のサンプルフィルム２１は、店頭に陳列されているウインドウフィルムのうちの特定の１種類のウインドウフィルムと同一の光学特性を備えたフィルム素材を用いて製作され、他方サンプルフィルム２２は、店頭に陳列されているウインドウフィルムのうちの特定の他の１種類のウインドウフィルムと同一の光学特性を備えたフィルム素材を用いて製作されている。ここで、「同一の光学特性」とは、可視光線透過率や紫外線カット率、フィルム厚さ・硬度などによって定まる遮光性や目隠し性のほか、色相や材質をも含む性質の意味である。
【００２１】
フィルム保持体１０は、２つのサンプルフィルム２１，２２に個別に対応する店頭陳列品を示す２つの情報表示２５，２６を有している。これらの情報表示２５，２６のうち、一方の情報表示２５は、一方側の開口１１の近接箇所に印刷によって施され、他方の情報表示２６は、他方側の開口１２の近接箇所に印刷によって施されている。したがって、来店者は、それらの情報表示２５，２６を目で見るだけで、それを手掛かりにして、サンプルフィルム２１，２２がどの店頭陳列品と同一の光学性能を有しているかを知ることができる。
【００２２】
図例の販促媒体Ａにおいて、フィルム保持体１０の横長さは４５ｃｍ程度、縦長さは２０ｃｍ程度に定められていて、この程度のサイズであれば、来店者や店員が、その販促媒体Ａを、店頭陳列品の陳列箇所と店舗パーキングに停めてある自動車のところとの間で楽に持ち運ぶことが可能である。また、フィルム保持体１０に設けられている２つの開口１１，１２のサイズは、それぞれ、縦長さ及び横長さが１２〜１５ｃｍ程度になっている。ここで示した開口１１，１２のサイズは、図４を参照して説明した従来のウインドウフィルムのパッケージに備わっている小窓４のサイズに比べて格段に大きい。このことにより、サンプルフィルム２１，２２によって、店頭陳列品としてのウインドウフィルムの質感や色などをほぼ正確に認識することが可能である。
【００２３】
次に図３を参照して使用状態を説明する。図３は販促媒体Ａの使用状態を示した正面図であり、５０はウインドウガラスを示し、このウインドウガラス５０には、たとえば運転席横のサイドガラスが相当する。
【００２４】
来店者や店員が、販促媒体Ａを、店頭陳列品としてのウインドウフィルムのパッケージの陳列箇所から持ち出し、それを店舗パーキングに停めている来店者所有の自動車（自車）のウインドウガラス５０に図３のように重ねると、光学特性の異なる２種類のサンプルフィルム２１，２２がウインドウガラス５０に重なり合う。そのため、来店者や店員は、サンプルフィルム２１，２２を目で見て観察することにより、どちらのサンプルフィルム２１，２２の遮光性能や目隠し性などの光学性能が自車に適するか否かを、実際に目で見て確かめることが容易に可能になる。その結果、来店者や店員が、たとえば、一方のサンプルフィルム２１の光の遮光性能や目隠し性能、着色状態などが適切であると判断することのできたときには、そのサンプルフィルム２１に対応している情報表示２５を手掛かりにして、その情報表示２５によって特定される店頭陳列品を選択し、購入して、自車のウインドウガラスに使用すればよい。このようにすると、購入したウインドウフィルムの光の遮光性能や目隠し性能、着色状態などが適切なものになり、満足のいく使用感が得られるようになる。
【００２５】
また、実施形態の販促媒体Ａでは、吸盤４１を利用して自車のウインドウガラスに装着することができるので、来店者や店員は、自車のウインドウガラスに装着したウインドウフィルム販促媒体のサンプルフィルムの光学特性が適切であるか否かを、離れた位置からでも判別することが可能になるという利点がある。
【００２６】
以上説明した実施形態では、フィルム保持体１０の２箇所に、サンプルフィルム２１，２２を配備した開口１１，１２を設けた事例を説明したけれども、サンプルフィルムを配備した開口をフィルム保持体１０の１箇所だけに設けておいても、３箇所以上の箇所に設けておいてもよい。また、フィルム保持体１０の複数箇所にサンプルフィルムを配備した開口を設ける場合においては。それらの開口を縦並びの複数箇所に設けておいてもよい。
【符号の説明】
【００２７】
Ａ  ウインドウフィルム販促媒体
１０  フィルム保持体
１１，１２  開口
２１，２２  サンプルフィルム
２５，２６  情報表示
３０  吊下げ具
４０  固定具
４１  吸盤
５０  ウインドウガラス
【図１】
0003197844.tif 000003
【図２】
0003197844.tif 000004
【図３】
0003197844.tif 000005
【図４】
0003197844.tif 000006